(57)【要約】【課題】ピアスとイアリングとに使用できるピアス用装飾具。【解決手段】略円形板の中心にピン孔を開口し、該略円形板の周縁部には中央部及び下部が切削されて逆Ｕ字形に形成されたカバー体を取付け、枝軸を略中央でＬ字形に折り曲げ、先端には装飾体を備えた枝軸を、前記本体の両側下端に少なくとも二本以上取付けて形成される装飾具本体と、略半球体の中心にピン孔を開口し、該略半球体の表面には前記装飾具のカバー体が挟合する係止段部を形成した止め具とから構成される。【選択図】  図４
2005052242.tif 000002
【特許請求の範囲】
【請求項１】
略円形板の中心にピン孔を開口し、該略円形板の周縁部には中央部及び下部が切削されて逆Ｕ字形に形成されたカバー体を取付けると共に、先端には装飾部を備え、略中央でＬ字形に折り曲げた枝軸を取付けて形成される装飾具本体と、略半球体の中心にピン孔を貫通し、該略半球体の湾曲面には側面凸形状の係止段部を設けて形成される止め具とから構成されることを特徴とするピアス用装飾具。
【請求項２】
略楕円形板の中心に上下方向に長尺なピン孔を開口し、該略楕円形板の周縁部には中央部及び下部が切削されて逆Ｕ字形に形成されたカバー体を取付けると共に、先端には装飾部を備え、略中央でＬ字形に折り曲げた枝軸を取付けて形成される装飾具本体と、略半球体の中心にピン孔を貫通し、該略半球体の湾曲面には側面凸形状の係止段部を設けて形成される止め具とから構成されることを特徴とするピアス用装飾具。
【請求項３】
略円形板の中心にピン孔を開口し、該略円形板の周縁部には中央部及び下部が切断されて逆Ｕ字形に形成されたカバー体を取付けると共に、先端には装飾部を備え、略中央でＬ字形に折り曲げた枝軸を少なくとも二本以上取付けて形成されることを特徴とするイアリング用装飾具。
【発明の詳細な説明】
【０００１】
【発明の属する技術分野】
本発明は、ピアスやイアリングなどに取付けて使用される装飾具に関する。
【０００２】
【従来の技術】
従来から、ピアスやイアリングなどには多種多様なものがあるが、一般的なピアス７０は、図１２に示すごとく、一端に貴金属や宝石などからなる装飾体７２を取付け、他端近傍の周部には係止溝部７３を形成したピン７１と、いわゆるキャッチと呼ばれる止金具７５とで構成されている。この止金具７５は、金属板の中心にピン孔７６を設け、両端を内側にカールさせてばね部７７を形成し、ばね部７７をピン７１と当接してピアス７０を耳たぶ６７に固定するものである。
【０００３】
また、一般的なイアリング５６は、図８（ｂ）に示すごとく、貴金属材により略Ｕ字形に形成した枠片５７の一端に貴金属材や宝石などからなる装飾体５８を設け、他端水平方向に設けたねじ筒５９にねじ軸６０を螺合し、ねじ軸６０の一端に支持板６１を取付け、他端にねじつまみ６２を設けて形成するものである。
【０００４】
したがって、一つのピアスやイアリングは、あくまでもその形状のみに限定されたものであって、そのピアスやイアリングを使用して他の装飾具などとコーディネイトして新たなデザインのバリエーションを楽しむことはできない。
【０００５】
【特許文献】特開平７−２１３３１３号
【０００６】
【発明が解決しようとする課題】
【０００９】
本発明は、ピアスやイアリングのどちらにも簡単に取付けることができ、ピアスやイアリングをいわゆるコーディネイトし、多様なデザインのバリエーション楽しむことができる装飾具を提供することを目的とする。
【００１０】
【課題を解決するための手段】
請求項１の発明は、略円形板の中心にピン孔を開口し、該略円形板の周縁部には中央部及び下部が切削されて逆Ｕ字形に形成されたカバー体を取付けると共に、先端には装飾部を備え、略中央でＬ字形に折り曲げた枝軸を取付けて形成される装飾具本体と、略半球体の中心にピン孔を貫通し、該略半球体の湾曲面には側面凸形状の係止段部を設けて形成される止め具とから構成されるピアス用装飾具であることを特徴とする。
【００１１】
したがって、装飾体を先端に有する装飾具を簡単にピアスに取付けることができ、単純なデザインのピアスを多様なデザインとして楽しむことができる。また、装飾具は止め具によりピアスに確実に固定され、ピアスの使用中に脱落することがない。
【００１２】
請求項２の発明は、略楕円形板の中心に上下方向に長尺なピン孔を開口し、該略楕円形板の周縁部には中央部及び下部が切削されて逆Ｕ字形に形成されたカバー体を取付けると共に、先端には装飾部を備え、略中央でＬ字形に折り曲げた枝軸を取付けて形成される装飾具本体と、略半球体の中心にピン孔を貫通し、該略半球体の湾曲面には側面凸形状の係止段部を設けて形成される止め具とから構成されるピアス用装飾具であることを特徴とする。
【００１３】
したがって、装飾体を先端に有する装飾具を簡単にピアスに取付けることができ、単純なデザインのピアスを多様なデザインとして楽しむことができる。また、長尺のピン孔を有する装飾具は、その固定位置を調節しながら止め具により確実に固定され、ピアスの使用中に脱落することがない。
【００１４】
請求項３の発明は、略円形板の中心にピン孔を開口し、該略円形板の周縁部には中央部及び下部が切断されて逆Ｕ字形に形成されたカバー体を取付けると共に、先端には装飾部を備え、略中央でＬ字形に折り曲げた枝軸を少なくとも二本以上取付けて形成されるイアリング用装飾具であることを特徴とする。
【００１５】
したがって、装飾体を先端に有する装飾具を簡単にイアリングに取付けることができ、単純なデザインのイアリングを多様なデザインとして楽しむことができる。また、装飾具はイアリングに確実に固定され、イアリングの使用中に脱落することがない。さらには、装飾具は少なくとも二本以上取付けられた枝軸によりバランスを保って固定され、イアリングの使用中にずれることがない。
【００１６】
【発明の実施の形態】
本発明に係る第１の実施の形態である第１装飾具を図１〜４に基づいて説明すると、図１は第１装飾具本体の正面図、図２は止め具の正面図、図３はピアスの側面図、図４は第１装飾具の使用状態を示す断面図である。第１装飾具１０は、第１装飾具本体１１と止め具２０により構成される。
【００１７】
第１装飾具本体１１は、例えば、金、プラチナ、シルバーなどの貴金属素材、あるいは真鍮などの金属素材により形成した平坦な略円形板１２の中心にピアス２７を挿通するピン孔１３を開口し、止め具２０の脱落を防止するための係止鍔部１４を、略円形板１２の下端を前方に折り曲げることで形成してある。略円形板１２の周縁部には、同様の略円形板の中央部及び下部を切削して逆Ｕ字形としかつ周縁部を折り曲げて形成されたカバー体１６を一体的に取付けてある。このカバー体１６と略円形板１２の間には空間部１８が形成され、空間部１８の入口付近ではカバー体１６の両側に爪部１９を設けて空間部１８からの出口をやや狭くしてある。
【００１８】
空間部１８の入口付近に爪部１９を設けてカバー体１６の中央開口部の下方を狭くしたことにより、後記のように第１装飾具本体１１内に収容された止め具２０の脱落を防止でき、また、爪部１９の形状を表面側でやや上向きに傾斜させることにより止め具２０のカバー体１６への挿入が容易となる。
【００１９】
一方、第１装飾具本体１１の両側には、略中央をＬ字形に折り曲げ、先端に真珠などからなる装飾体３２を備えた枝軸３１を２本取り付け、その先方を左右に広げることで重量バランスを調整してある。
【００２０】
枝軸３１がＬ字形に折り曲げられることにより、後記する第１装飾具本体１１とピアス２７を使用する場合、装飾体３２が耳たぶ６７の前方に露呈し、装飾体３７をデザイン的に目立たせることができる。
【００２１】
止め具２０は、例えば、シリコンなどの弾性のある合成樹脂素材により形成される略半球体２１の中心にピン孔２２を貫通し、その表面には湾曲部分の両側を切り落とすことで側面凸形状となる係止段部２４を設けてある。この係止段部２４により形成される凸部分の横幅を、第１装飾具本体１１の爪部１９間の距離より微差で広幅に形成することで、止め具２０が第１装飾具本体１１に収容されると、係止段部２４の凸部分がカバー体１６の中央開口部よりはみ出し、かつ爪部１９で係止されるので、止め具２０は第１装飾具本体１１の空間部１８に確実に固定される。
【００２２】
なお、略半球体２１の底部中央にはピン孔２２の周囲に同様にピン孔を開口した保護板２５が取付けられ（図２の点線部分。）、長期間の止め具２０の使用による略半球体２１及びピン孔２２の形崩れが防止されている。
【００２３】
ピアス２７は、ピンの一端に真珠などの宝石や貴金属素材などからなる飾り部２８を設け、他端近傍に係止溝部２９を設けたものである。
【００２４】
以下、この第１装飾具１０の作用について説明する。第１装飾具１０を使用する場合には、予め止め具２０を１１のカバー体１６内に収容しておく。この止め具２０の第１装飾具本体１１への取付けは、止め具２０の係止段部２４をカバー体１６の爪部１９の間に位置させ、空間部１８の中心方向に押し込むと、略半球体２１が爪部１９の傾斜部分とシリコンの弾発力により変形しながら挿入される。
【００２５】
止め具２０が空間部１８の中央に位置すると、前記したように係止段部２４の凸部分がカバー体１６の中央開口部よりはみ出すこと、そして略半球体２１の外周が空間部１８の内周縁に当接した際の弾力性と、さらには止め具２０の下端も係止鍔部１４で支えられることにより、カバー体１６内に確実に収容される。
【００２６】
止め具２０が第１装飾具本体１１内の所定の位置に固定されると、止め具２０のピン孔２２と第１装飾具本体１１のピン孔１３とを同一軸心上に位置させることができる。したがって、第１装飾具本体１１のピン孔１３よりピアス２７を挿通することにより、止め具２０のピン孔２２へもスムーズに挿通させることができる。
【００２７】
すなわち、図４に示すごとく、耳たぶ６７のピアス孔６８に表側からピアス２７を挿入し、耳たぶ６７の裏側に位置した第１装飾具本体１１のピン孔１３にピアス２７のピン先端を当てて止め具２０のピン孔２２と共に挿入すると、ピアス２７を係止することができる。
【００２８】
そして、第１装飾具本体１１の下端に設けた装飾部３５に多様な形状の装飾を施すことにより、耳たぶ６７の表側には、ピアス２７の装飾体２８と、第１装飾具本体１１より突出する装飾体３２の両方が見えるため、単純なデザインのピアスをコーディネイトすることができ、また、第１装飾具本体１１とピアス２７との組み合わせを変えることによっても、多種多様なデザインからなるピアスを形成することができる。
【００２９】
本発明に係る第２の実施の形態である第２装飾具を図５〜７に基づいて説明すると、図５は第２装飾具本体の正面図、図６は第２装飾具のＡ―Ａ断面図、図７は第２ピアスの使用状態を示す断面図である。第２装飾具３５は、第２装飾具本体３６と止め具５０により構成される。
【００３０】
第２装飾具本体３５は、例えば、金、プラチナ、シルバーなどの貴金属素材、あるいは真鍮などの金属素材により形成した平坦な略楕円形板３７の中心に長尺ピン孔３８を開口し、下端には止め具５０の脱落を防止するための係止鍔部３９を設けてある。略楕円形板３７の周縁部には、中央部及び下部が開口されて逆Ｕ字形に形成されたカバー体４１を一体的に取付けてある。このカバー体４１と略楕円形板３７の間には空間部４３が形成され、空間部４３の入口ではカバー体４１の両側に爪部４４を設けて入口を狭くしてある。
【００３１】
第２装飾具本体３５には、第１装飾具本体１１と同様に、枝軸４７を２本取り付け、その先方を左右に広げて重量バランスを調整してある。
【００３２】
また、第２装飾具３５において止め具５０及びピアス５３は、第１装飾具１０の止め具２０およびピアス２７と同じ構造であるため、ここでは説明を省略する。
【００３３】
この第２装飾具３５の作用について説明すると、この第２装飾具３５を耳たぶ６７に開けた孔への取付ける場合、図７に示すごとく、あらかじめ止め具５０を第２装飾具本体３６のカバー部４３内に収容しておく。この止め具５０の第２装飾具本体３６への取付けは、第１装飾具１０の場合と同様であるためここでは説明を省略する。
【００３４】
止め具５０が第２装飾具本体３６内の所定の位置に固定されると、止め具５０のピン孔５２と第２装飾具本体３６の長尺ピン孔３８とを同一軸心上に位置させることができる。したがって、視認しながら、止め具５０のピン孔５２よりピアス２７を挿通し、第２装飾具本体３６の長尺ピン孔３８に容易に挿通させることができる。
【００３５】
図７に示すごとく、第２装飾具３５においては、長尺ピン孔３８と空間部４３を上下方向に長尺にしてあるため、ピアス５３に対する第２装飾具本体３６の位置を下方あるいは上方に移動することもできる。すなわち、第２装飾具本体３６内に収容されている止め具５０は、シリコンなど合成樹脂素材の弾性によりカバー部４１内に圧接された状態で固定されているに過ぎず、耳たぶ７０に挿通したピアス５３を外すことなく、そのままの状態で第２装飾具本体３６の空間部４３内を上下方向に摺動させることができる。このことによって、第２装飾具本体３に対する止め具５０の位置を上下させることができ、ひいてはピアス５３と装飾体４８の位置関係を自由に調整できる。
【００３６】
第２装飾具３５を使用中のときは、止め具５０のシリコンの弾性と、耳たぶ６７の弾性とにより圧接されているためずれるおそれがない。したがって、耳たぶ６７に複数の孔を開けることなく、ピアス２７のバリエーションに富んだデザイン効果を楽しむことができる。
【００３７】
本発明に係る第３の実施の形態である第３装飾具を図８〜１１に基づいて説明すると、図８は第３装飾具の側面図、図９はイアリングに第３装飾具を装着した状態の一部断面にした側面図、図１０は図９のＢ―Ｂ線断面図、図１１は第３装飾具を取付けた状態のイアリングの正面図である。
【００３８】
第３装飾具６４において第３装飾具本体６５の構造は、前記した第１装飾具本体１１と略同様であるためここでの詳細な説明は省略する。
【００３９】
以下、第３装飾具６４の作用などについて説明すると、図９に示すごとく、第３装飾具本体６５はイアリング５６に取付けて使用する。
【００４０】
第３装飾具本体６５の取り付けは、イアリング５６の支持板６１を第３装飾具本体６５のカバー体１６に挿入して嵌合させる。カバー体１６の空間部１８と支持板６１とはほぼ同じ直径であり、微差で空間部１８が大きく形成されているので、支持板６１はカバー体１６内でガタつくことなく収容される。
【００４１】
支持板６１の下端は、第３装飾具本体６５の下端に設けた係止鍔部１４によって係止されるため、支持板６１が第３装飾具本体６５から脱落するのを防止することができる。
【００４２】
なお、イアリング５６のねじ軸６０は、カバー体１６の中央開口部に位置するので、第３装飾具本体６５を支持板６１に取付けるのに何ら障害となるものではない。
【００４３】
次いで、イアリング５６の枠片５７を耳たぶ６７の所定個所にはめて、ねじつまみ６２を回転すると、支持板６１はカバー体１６の空間部１８内で自由に回転できるので、カバー体１６が耳たぶ６７を裏側から圧着し、かつ、枠片５７の長さ及び湾曲程度と第３装飾具本体６５の長さ及び湾曲程度がほぼ同様であるので、イアリング５６を第３装飾具本体６５と一緒に耳たぶ６７に取付けることができる。
【００４４】
第３装飾具本体６５の下端に設けた装飾体３２に多様な形状の装飾を形成することにより、耳たぶ６７の表側には、イアリング５６の飾り部５８と、第３装飾具本体６５より突出する装飾体３２の両方が見えるため、シンプルなデザインのイアリングをコーディネイトすることができ、また、第３装飾具本体６５とイアリング５６との組み合わせを変えることにより、多種多様なデザインのイアリングを形成することができる。
【００４５】
本発明は上記の実施形態に限定されず、種々変更して実施することが可能である。例えば、上記実施の形態は、装飾具本体に取付けられた装飾部は２本の枝軸（両側にそれぞれ１本ずつ）から構成される場合のみを図示しているが、ピアス用装飾具にあっては１本の枝軸のみで構成することもでき、イアリング用装飾具にあっては、両側の重量のバランスが保てることを条件として、３本以上の枝軸から構成しても差し支えない。また、装飾体に真珠を使用した場合のみを図示しているが、真珠以外の宝石、例えば、ダイアモンドや各種色石、合成宝石、さらにはミラーボール等の貴金属素材を使用することもできる。
【００４６】
【発明の効果】
本発明によれば、真珠などを先端に有する装飾具を簡単にピアスやイアリングに取付けることができ、単純なデザインのピアスやイアリングをコーディネイトして楽しむことができる。また、止め具とカバー体の構造により、装飾具は確実にピアスやイアリングに固定され、枝軸の構造により、装飾具はピアスやイアリングの使用中にずれることがない。くわえて、長尺なピン孔を有する装飾具を使用して、装飾体の位置を自由に変化させることができるので、変化に富んだ多様なデザインとしてピアスやイアリングを楽しむこともできる。
【図面の簡単な説明】
【図１】第１装飾具の正面図である。
【図２】止め具の正面図である。
【図３】ピアスの側面図である。
【図４】第１装飾具の使用状態を示す断面図である。
【図５】第２装飾具の正面図である。
【図６】第２装飾具のＡ―Ａ断面図である。
【図７】第２ピアスの使用状態を示す断面図である。
【図８】第３装飾具の側面図である。
【図９】イアリングに第３装飾具を装着した状態の一部断面にした側面図である。
【図１０】図９のＢ―Ｂ線断面図である。
【図１１】第３装飾具を取付けた状態のイアリングの正面図である。
【図１２】従来のピアスの使用状態を示す側面図である。
【符号の説明】
１０  第１装飾具
１１  第１装飾具本体
１２  略円形板
１３  ピン孔
１４  係止鍔部
１６  カバー体
１８  空間部
１９  爪部
２０  止め具
２１  略半球体
２２  ピン孔
２４  係止段部
２５  保護板
２７  ピアス
２８  飾り部
２９  係止溝部
３１  枝軸
３２  装飾体
３５  第２装飾具
３６  第２装飾具本体
３７  略楕円形板
３８  長尺ピン孔
３９  係止鍔部
４１  カバー体
４３  空間部
４４  爪部
４７  枝軸
４８  装飾体
５０  止め具
５３  ピアス
５２  ピン孔
５６  イアリング
５７  枠片
５８  装飾体
５９  ねじ筒
６０  ねじ軸
６１  支持板
６２  つまみ
６４  第３装飾具
６５  第３装飾具本体
６７  耳たぶ
７０  ピアス
７２  装飾体
７３  係止溝部
７１  ピン
７５  止金具
７６  ピン孔
７７  ばね部
【図１】
2005052242.tif 000003
【図２】
2005052242.tif 000004
【図３】
2005052242.tif 000005
【図４】
2005052242.tif 000006
【図５】
2005052242.tif 000007
【図６】
2005052242.tif 000008
【図７】
2005052242.tif 000009
【図８】
2005052242.tif 000010
【図９】
2005052242.tif 000011
【図１０】
2005052242.tif 000012
【図１１】
2005052242.tif 000013
【図１２】
2005052242.tif 000014